(57)【特許請求の範囲】
【請求項１】
シートバック（４）の側部に配置したエアバッグ装置（１）のエアバッグ（２）が緊急時にその展開圧力でシートバック（４）に被覆された袋状のシートカバー（５）のシート表面被覆部（５ａ）とカマチ被覆部（５ｂ）との縫合部（６）を破断膨張して側方からの衝突に対し乗員を保護するようにしたエアバッグ装置を備えた車両用シートであって、前記シート表面被覆部（５ａ）とカマチ被覆部（５ｂ）のいずれかは玉縁（１０）が縫製糸（６ａ）により仮縫いされたものとし、この玉縁（１０）がいずれかに仮縫いされているシート表面被覆部（５ａ）とカマチ被覆部（５ｂ）とをカマチ被覆部（５ｂ）の裏側に沿わせた帯状の力布（９）の一端と重ねて縫製糸（６ａ）により本縫いするとともに該力布（９）の他端をシートバックフレーム（８）に連結し、この力布（９）によりカマチ被覆部（５ｂ）の伸びを抑制してエアバッグ（２）の展開圧力で破断される前記縫合部（６）の跡口から座席側方の所定位置に向けエアバッグ（２）が膨出されるようにしたことを特徴とするエアバッグ装置を備えた車両用シート。
【発明の詳細な説明】
【０００１】
【発明の属する技術分野】
本発明は側方からの衝突に対して乗員を保護するエアバッグ装置を備えた車輌用シートに関するものである。
【０００２】
【従来の技術】
シートバックに被覆されたシートカバーの一部をシートバックの側面に埋設したエアバッグ装置のエアバッグの展開圧力で破断したうえ側方に膨出するエアバッグにより乗員を側方で拘束するようにしたエアバッグ装置を備えた車輌用シートは、特開平６−６４４９１号公報などにより公知である。
【０００３】
ところが、従来のこの種のエアバッグ装置を備えた車輌用シートは、シート表面被覆部側の縫合部付近のシートカバー材そのものの破断で開裂されるようにしているため、シートカバー材を低強度の材質よりなるものとしており、このため、シートカバーそのものの耐久性が保証できないうえに破断箇所が一定化されずエアバッグの展開軌跡も安定しないという問題点があった。また、縫製糸の強度がシートカバー材のミシン目間の強度より強くなければならないという制約があり、シートカバー材と縫製糸とに品質面や技術面で高度なバランスが要求され生産性に劣るという問題点や、シートカバー材自身が破断するものであるので応答性が劣るという問題点もあった。更には、意匠を向上させるよう装飾用の玉縁を付けることが要望されているが、この場合には玉縁がエアバッグの展開を邪魔してしまうため適用できないというのが現状であった。
【０００４】
【発明が解決しようとする課題】
本発明は前記のような従来の問題点を解決して、従来のシートカバー材自身を破断させるのではなく、シートカバーのシート表面被覆部とカマチ被覆部とを縫合している縫製糸をエアバッグを所定の展開圧力で確実かつ迅速に破断して縫合部を容易に開裂させることができるとともに、破断箇所を常に一定化してエアバッグの展開軌跡を安定させることができ、またシートカバー材と縫製糸との強度のバランスも簡単にとれて生産性を大幅に向上させることができ、更にはシートとしての耐久性も長期間にわたって保証することができ、しかも玉縁により意匠を向上させることができるとともに玉縁がエアバッグの展開を邪魔することもないエアバッグ装置を備えた車輌用シートを提供することを目的として完成されたものである。
【０００５】
【課題を解決するための手段】
前記の課題を達成するためになされた本発明のエアバッグ装置を備えた車両用シートは、シートバックの側部に配置したエアバッグ装置のエアバッグが緊急時にその展開圧力でシートバックに被覆された袋状のシートカバーのシート表面被覆部とカマチ被覆部との縫合部を破断膨張して側方からの衝突に対し乗員を保護するようにしたエアバッグ装置を備えた車両用シートであって、前記シート表面被覆部とカマチ被覆部のいずれかは玉縁が縫製糸により仮縫いされたものとし、この玉縁がいずれかに仮縫いされているシート表面被覆部とカマチ被覆部とをカマチ被覆部の裏側に沿わせた帯状の一端と重ねて縫製糸により本縫いするとともに該力布の他端をシートバックフレームに連結し、この力布によりカマチ被覆部の伸びを抑制してエアバッグの展開圧力で破断される前記縫合部の跡口から座席側方の所定位置に向けエアバッグが膨出されるようにしたことを特徴とするものである。
【０００６】
【発明の実施の形態】
以下に、図面を参照しつつ本発明の好ましい実施の形態を示す。
図中、１はエアバッグ装置であって、このエアバッグ装置１はエアバッグ２とインフレータ３とをエアバッグケースに収納したもので、シートバック４の側部に埋設されて常時はシートバック４に被装されたシートカバー５により隠蔽されているが、緊急時にはインフレータ３の作動で乗員と車室壁との間にエアバッグ２がエアバッグケースの開口部より膨出し、シートカバー５を破断してエアバッグ２を座席側方の所定位置に向け膨出させて側方からの衝突に対して乗員を保護するようになっている。
【０００７】
本発明において用いられるシートカバー５は、シート表面被覆部５ａとカマチ被覆部５ｂとを縫合部において縫合した袋状の縫製カバーであり、エアバッグ２の展開圧力によるシートカバー５の破断がシートカバー材自身の一部の破断によるのではなく、エアバッグ２の展開部位に位置するシート表面被覆部５ａとカマチ被覆部５ｂの縫合部６の縫製糸がエアバッグ２の所定の展開圧力で破断され、この縫合部６を開裂させてエアバッグ２が膨張展開するものとしてある。
【０００８】
また、前記縫合部６には帯状の力布９の一端を縫合するとともに該力布９をカマチ被覆部５ｂに添わせつつ他端をシートバックフレーム８にフック状の取付金具７を介して連結し、この力布９によりカマチ被覆部５ｂの伸びを抑制した状態として、エアバッグ２の展開圧力で破断されるシート表面被覆部５ａとカマチ被覆部５ｂとの縫合部６の跡口より座席側方の所定位置に向けエアバッグ２が膨出されるよう構成されている。
【０００９】
更に、前記縫合部６には意匠を向上させるよう装飾用の玉縁１０が取り付けられている。この玉縁１０は、例えば図２に示されるように、カマチ被覆部５ｂと力布９とともに縫製糸６ｂにより仮縫いした後、これをシート表面被覆部５ａと縫製糸６ａにより本縫いしたものとすることができる。また、図３に示されるように、カマチ被覆部５ｂと力布９を縫製糸６ｂにより仮縫いしておくとともに、シート表面被覆部５ａと玉縁１０を縫製糸６ｂにより仮縫いしておき、これらを重ね合せて縫製糸６ａにより本縫いしたものとすることができ、いずれの場合もエアバッグ２の展開圧力でシートカバー５の縫合部６が破断された場合、玉縁１０が仮縫いしておいたシート表面被覆部５ａあるいはカマチ被覆部５ｂに縫着された状態を維持してエアバッグ２の展開の邪魔にならないよう構成されている。
【００１０】
なお、カマチ被覆部５ｂがファブリック等の強度の大きいものである場合には図２に示したタイプのものを適用し、ＰＶＣ等の強度の小さいものである場合には図３に示したタイプのものを適用するのが好ましい。更には、本縫い用の縫製糸６ａを仮縫い用の縫製糸６ｂよりも細い糸としておけば、シートカバー５が縫合部６でより一層確実に破断するようになり好ましい。
【００１１】
このように構成されたものにおいては、エアバッグ２が膨張展開した場合に、エアバッグ２の展開部位に位置するシート表面被覆部５ａとカマチ被覆部５ｂの縫合部６の縫製糸がエアバッグ２の所定の展開圧力で破断されるのであるが、この時、カマチ被覆部５ｂの裏面側には力布９が添装されているのでカマチ被覆部５ｂがエアバッグ２の展開に追従して外側へ伸びることが防止され縫合部６の開裂状態が常に一定位置で一定方向の条件となって、エアバッグ２が安定して膨張展開することとなる。
【００１２】
また、玉縁１０はシート表面被覆部５ａあるいはカマチ被覆部５ｂに縫製糸６ｂで仮縫いされた後、縫製糸６ａにより本縫いしたものとなっているので、縫製糸６ａが破断して縫合部６が開裂した際にも玉縁１０はシート表面被覆部５ａあるいはカマチ被覆部５ｂに一体となった状態が保持されることとなり、この結果、玉縁１０がエアバッグ２の膨張展開を邪魔することもない。
【００１３】
【発明の効果】
以上の説明からも明らかなように、本発明は従来のシートカバー材自身を破断させるのではなく、シートカバーのシート表面被覆部とカマチ被覆部とを縫合している縫製糸をエアバッグを所定の展開圧力で確実かつ迅速に破断して縫合部を容易に開裂させることができるとともに、破断箇所を常に一定化してエアバッグの展開軌跡を安定させることができ、またシートカバー材と縫製糸との強度のバランスも簡単にとれて生産性を大幅に向上させることができ、更にはシートとしての耐久性も長期間にわたって保証することができ、しかも玉縁により意匠を向上させることができるとともに玉縁がエアバッグの展開を邪魔することもないものである。
よって本発明は従来の問題点を一掃した側方からの衝突に対して乗員を保護するエアバッグ装置を備えた車輌用シートとして、産業の発展に寄与するところは極めて大である。
【図面の簡単な説明】
【図１】本発明の実施の形態を示す要部の横断平面図である。
【図２】図１における縫合部の拡大断面図である。
【図３】その他の実施の形態における縫合部の拡大断面図である。
【符号の説明】
１  エアバッグ装置
２  エアバッグ
４  シートバック
５  シートカバー
５ａ    シート表面被覆部
５ｂ  カマチ被覆部
６  縫合部
８  シートバックフレーム
９  力布
１０  玉縁
【図１】
0003552885.tif 000002
【図２】
0003552885.tif 000003
【図３】
0003552885.tif 000004